(57)【要約】【課題】  所定の気体成分を車室内に供給するとき、その空気成分が乗員の鼻口に届き易くする。【解決手段】  制御回路３９は、車室内に空気を吹き出すときに選択スイッチ４１ａにて気体成分の供給要が選択されている場合、イオン発生器４３Ａを運転すると共に、少なくともフェイス吹出口３１ｄから空気が吹き出されるよう開閉ドア３１ｂ・３３ｂ・３５ｂを操作する。  例えばマイナスイオンは、一般に人体に対して肺から入って吸収され、血液の活性酸素を減らす効果が有ると言われている。そのため、乗員が吸い込み易い空間に放出する必要がある。本発明では、乗員が選択スイッチ４１ａにて気体成分の供給要と選択している場合は、イオン発生器４３Ａなどを運転すると共に、フェイス吹出口３１ｄから空気が吹き出されるようにすることでマイナスイオンなどが乗員の鼻口に届き易くなり、乗員はマイナスイオンを有効に吸引して効果を得易くなる。【選択図】    図２
2005170325.tif 000002
【特許請求の範囲】
【請求項１】
車室内に空気を吹き出す複数の吹出口（３１ｄ、３３ｄ、３５ｄ）と、
前記複数の吹出口（３１ｄ、３３ｄ、３５ｄ）を選択的に開閉する開閉手段（３１ｂ、３３ｂ、３５ｂ）と、
前記複数の吹出口（３１ｄ、３３ｄ、３５ｄ）から車室内に吹き出される空気に、乗員が吸引することにより効果を発する所定の気体成分を供給する気体成分供給手段（４３）と、
乗員が前記気体成分の供給の要否を選択する要否選択手段（４１ａ）と、
前記開閉手段（３１ｂ、３３ｂ、３５ｂ）と前記気体成分供給手段（４３）とを制御する制御手段（３９）とを備え、
前記複数の吹出口（３１ｄ、３３ｄ、３５ｄ）は、少なくとも第１の吹出口（３１ｄ）と第２の吹出口（３３ｄ、３５ｄ）とを含み、前記第１の吹出口（３１ｄ）からの吹出空気は、前記第２の吹出口（３３ｄ、３５ｄ）からの吹出空気に比べて乗員の鼻口に空気が届き易いようになっている車両用空調装置において、
前記制御手段（３９）は、車室内に空気を吹き出すときに前記要否選択手段（４１ａ）にて前記気体成分の供給要が選択されている場合、前記気体成分供給手段（４３）を運転すると共に、少なくとも前記第１の吹出口（３１ｄ）から空気が吹き出されるよう前記開閉手段（３１ｂ、３３ｂ、３５ｂ）を操作することを特徴とする車両用空調装置。
【請求項２】
前記第１の吹出口（３１ｄ）がフェイス吹出口（３１ｄ）であることを特徴とする請求項１に記載の車両用空調装置。
【請求項３】
前記気体成分をフェイスダクト（３１ｃ）内に供給することを特徴とする請求項１に記載の車両用空調装置。
【請求項４】
前記気体成分供給手段（４３）がイオン発生手段（４３Ａ）であることを特徴とする請求項１に記載の車両用空調装置。
【請求項５】
前記気体成分供給手段（４３）が清浄空気生成手段（４３Ａ）であることを特徴とする請求項１に記載の車両用空調装置。
【請求項６】
前記気体成分供給手段（４３）が酸素富化空気生成手段（４３Ｂ、４３Ｃ）であることを特徴とする請求項１に記載の車両用空調装置。
【請求項７】
車両の座席毎の乗員に対応した複数の吹出口（８９ａ、９０ａ）と、
座席毎の乗員の有無を検出する乗員検出手段（９２）と、
前記気体成分供給手段（４３）と前記複数の吹出口（８９ａ、９０ａ）との連通を選択する供給先選択手段（９３）とを設け、
前記制御手段（３９）は、前記乗員検出手段（９２）にて乗員が検出される座席の乗員に対応した前記吹出口（８９ａ、９０ａ）と前記気体成分供給手段（４３）とが連通するよう前記供給先選択手段（９３）を制御することを特徴とする請求項１に記載の車両用空調装置。
【発明の詳細な説明】
【技術分野】
【０００１】
本発明は、乗員が吸引することにより効果を発する所定の気体成分を車室内に供給する車両用空調装置に関するものであり、特に複数の吹出口を有する車両用空調装置に適用される。
【背景技術】
【０００２】
近年、健康を求める社会のニーズが高まっており、空調分野においても「良い空気」「きれいな空気」を与える商品が市場に現れている。このような社会背景の中、車両においても乗員に「良い空気」「きれいな空気」を与える装置が付加されるようになってきている。例えば空気清浄装置を付加したものは多数出願されている。
【０００３】
また、本出願人が先に出願したものにおいても、特許文献１に示すものは、車室内空気中の酸素濃度が低下して眠気を催したり動作が緩慢になったりするという不具合を、車室内に酸素富化空気生成装置を備えて酸素富化空気を供給することにより解消して快適性を維持するものである。
【０００４】
更に、特許文献２に示すものは、空気中のマイナスイオンの効用、例えば、一般的に空気中のマイナスイオンの増加は、自律神経に影響して情緒の安定に寄与するとされており、これに注目して車両用空調装置のダクト部にマイナスイオン発生器を備え備えてマイナスイオンを供給するものである。このような装置は、車両においてコストとスペースとの条件を有利にするため、しばしば車両用空調装置（いわゆるエアコンユニット）との一体化が提案されている。
【特許文献１】特開昭５９−２１２６３２号公報
【特許文献２】特開２００３−２２６１３４号公報
【発明の開示】
【発明が解決しようとする課題】
【０００５】
一般的に自動車などの車両用空調装置１１は、図１に示すように乗員の顔面などに送風するフェイス吹出口（またはベント吹出口）３１、フロントガラスに送風する図示しないデフロスタ吹出口や、乗員の足元に送風するフット吹出口３５のように複数の吹出口を有している。
【０００６】
しかしながら、上述の「良い空気」「きれいな空気」を与える装置は、その「良い空気」「きれいな空気」を乗員が吸引しないと効果は無く、それに対し、車両用空調装置１１はそのときの温度条件により必ずしも吹出口が乗員を向いている訳ではない。一般的に車両用空調装置１１の吹出口は、車室内を冷すときはフェイス吹出口３１から、暖めたいときはフット吹出口３５から送風されるように制御されるため、特に冬期ではフット吹出口３５から温風を送風することが多くなり、そのときは上述のような「良い空気」「きれいな空気」を与える装置を設けても有効に利用されないという問題点がある。
【０００７】
本発明は、上記従来技術の問題点に鑑みて成されたものであり、その目的は、「良い空気」「きれいな空気」など、乗員が吸引することにより効果を発する所定の気体成分を車室内に供給するとき、その空気成分が乗員の鼻口に届き易い車両用空調装置を提供することにある。
【課題を解決するための手段】
【０００８】
本発明は上記目的を達成するために、請求項１ないし請求項７に記載の技術的手段を採用する。すなわち、請求項１に記載の発明では、車室内に空気を吹き出す複数の吹出口（３１ｄ、３３ｄ、３５ｄ）と、複数の吹出口（３１ｄ、３３ｄ、３５ｄ）を選択的に開閉する開閉手段（３１ｂ、３３ｂ、３５ｂ）と、複数の吹出口（３１ｄ、３３ｄ、３５ｄ）から車室内に吹き出される空気に、乗員が吸引することにより効果を発する所定の気体成分を供給する気体成分供給手段（４３）と、乗員が気体成分の供給の要否を選択する要否選択手段（４１ａ）と、開閉手段（３１ｂ、３３ｂ、３５ｂ）と気体成分供給手段（４３）とを制御する制御手段（３９）とを備え、複数の吹出口（３１ｄ、３３ｄ、３５ｄ）は、少なくとも第１の吹出口（３１ｄ）と第２の吹出口（３３ｄ、３５ｄ）とを含み、第１の吹出口（３１ｄ）からの吹出空気は、第２の吹出口（３３ｄ、３５ｄ）からの吹出空気に比べて乗員の鼻口に空気が届き易いようになっている車両用空調装置において、
制御手段（３９）は、車室内に空気を吹き出すときに要否選択手段（４１ａ）にて気体成分の供給要が選択されている場合、気体成分供給手段（４３）を運転すると共に、少なくとも第１の吹出口（３１ｄ）から空気が吹き出されるよう開閉手段（３１ｂ、３３ｂ、３５ｂ）を操作することを特徴としている。
【０００９】
この請求項１に記載の発明によれば、乗員が吸引することにより効果を発する所定の気体成分として例えばマイナスイオンは、一般に人体に対して肺から入って吸収され、血液の活性酸素を減らす効果が有ると言われている。そのため、乗員が吸い込み易い空間に放出する必要がある。よって本発明では、乗員が要否選択手段（４１ａ）にて気体成分の供給要と選択している場合は、イオン発生器などの気体成分供給手段（４３）を運転すると共に、第１の吹出口（３１ｄ）から空気が吹き出されるようにすることでマイナスイオンなどが乗員の鼻口に届き易くなり、乗員はマイナスイオンを有効に吸引して効果を得易くなる。
【００１０】
また、請求項２に記載の発明では、第１の吹出口（３１ｄ）がフェイス吹出口（３１ｄ）であることを特徴としている。この請求項２に記載の発明によれば、車両用空調装置の送風モードの選択に関わらず、常にフェイス吹出口（３１ｄ）のような気体成分が乗員の鼻口に届き易い第１の吹出口からも送風される。これによりフット吹出口（３５ｄ）のように乗員の鼻口に届き難い第２の吹出口から送風するように車両用空調装置の送風モードが選択されている場合でも、気体成分を乗員の鼻口に届けることが可能となる。
【００１１】
また、請求項３に記載の発明では、気体成分をフェイスダクト（３１ｃ）内に供給することを特徴としている。この請求項３に記載の発明によれば、フェイスダクト（３１ｃ）内に供給した気体成分は、確実にフェイス吹出口（３１ｄ）から吹き出されるため、より確実に乗員の鼻口に届けることができる。
【００１２】
また、請求項４に記載の発明では、気体成分供給手段（４３）がイオン発生手段（４３Ａ）であることを特徴としている。この請求項４に記載の発明によれば、一般的に空気中のマイナスイオンを増加させると、そのマイナスイオンが肺から入って人体に吸収され、血液の活性酸素を減らし、自律神経に影響して情緒を安定させることができる。
【００１３】
また、請求項５に記載の発明では、気体成分供給手段（４３）が清浄空気生成手段（４３Ａ）であることを特徴としている。この請求項６に記載の発明によれば、車両の車室内で発生したり外気から流入したりする各種臭気や排気ガスなど、空気中に含まれるガス状汚染物質を浄化した空気を乗員に吹き出すことにより乗員にかかるストレスを軽減して快適にすることができる。
【００１４】
また、請求項６に記載の発明では、気体成分供給手段（４３）が酸素富化空気生成手段（４３Ｂ、４３Ｃ）であることを特徴としている。この請求項５に記載の発明によれば、空気中の酸素濃度が低下して眠気を催したり動作が緩慢になったりするという不具合を、この酸素富化空気生成手段（４３Ｂ、４３Ｃ）で酸素富化空気を供給することにより解消することができる。
【００１５】
また、請求項７に記載の発明では、車両の座席毎の乗員に対応した複数の吹出口（８９ａ、９０ａ）と、座席毎の乗員の有無を検出する乗員検出手段（９２）と、気体成分供給手段（４３）と複数の吹出口（８９ａ、９０ａ）との連通を選択する供給先選択手段（９３）とを設け、制御手段（３９）は、乗員検出手段（９２）にて乗員が検出される座席の乗員に対応した吹出口（８９ａ、９０ａ）と気体成分供給手段（４３）とが連通するよう供給先選択手段（９３）を制御することを特徴としている。
【００１６】
この請求項７に記載の発明によれば、座席についている乗員に対して有効に気体成分を供給することができる。尚、上記各手段の括弧内の符号は、後述する実施形態に記載の具体的手段との対応関係を示す一例である。
【発明を実施するための最良の形態】
【００１７】
（第１実施形態）
以下、本発明の実施形態について添付図面を参照して詳細に説明する。図１は、本発明の第１実施形態における本発明関連機器の車両への概略配置と、乗員に対する吹出風とを説明する図である。また、図２は、複数の吹出口としてフェイス吹出口３１、デフロスタ吹出口３３およびフット吹出口３５の３カ所の吹出口を有する、本発明の第１実施形態における車両用空調装置１１の概略構成図である。
【００１８】
本実施形態のフロント空調ユニット（車両用空調装置）１１は、車室内に送風空気を導く空調ケース１３、この空調ケース１３内で車室内へ向かう空気流を生じさせる送風器１５、空調ケース１３内に配されたエバポレータ（冷房用熱交換器）１７およびヒータコア（暖房用熱交換器）１９を備える。空調ケース１３には、車室内空気を取り入れるための内気導入口２１および車室外空気を取り入れるための外気導入口２３が設けられ、その内気導入口２１および外気導入口２３は、選択された内外気モードに応じて作動する吸込口切替ドア２５によって切り替え開閉される。
【００１９】
送風器１５は、遠心式のファン１５ａと、このファン１５ａを回転駆動するファンモータ１５ｂより成り、フィルタ２７を通って吸い込まれた空気を送風する。送風器１５は、ファンモータ１５ｂに印加される電圧値に応じて送風量を可変する。そしてエバポレータ１７は、送風器１５より送られた空気を冷却する。ヒータコア１９は、エンジン冷却水を熱源として通過する空気を加熱するもので、そのヒータコア１９を通過する空気量は、エアミックスドア２９によって調節される。
【００２０】
空調ケース１３の下流端には、車室内の各所に開口する複数の開口部（フェイス開口部３１ａ、デフ□スタ開口部３３ａ、フット開口部３５ａ）と、各開口部を開閉するフェイスドア３１ｂ・デフロスタドア３３ｂ・フットドア３５ｂなどの開閉手段によって開閉される。尚、各吹出口ドアの開閉動作はモータ３７によって行われる。そして、フェイス開口部３１ａは、フェイスダクト３１ｃを介して計器盤上方側に配置されているフェイス吹出口（複数の吹出口であり第１の吹出口）３１ｄに接続され、このフェイス吹出口３１ｄから車室内の前席乗員頭部に向けて風を吹き出す。
【００２１】
また、デフ□スタ開口部３３ａは図示しないデフロスタダクトを介して図示しないデフロスタ吹出口（複数の吹出口であり第２の吹出口、仮に３３ｄとする）に接続され、このデフロスタ吹出口から車両前面窓ガラスの内面に向けて風を吹き出す。また、フット開口部３５ａは空調ケース１３の左右両側の側面に開口しており、左右両側の図示しないフットダクトを介して、前席の運転席側および助手席側の乗員足元に配置されている図示しないフット吹出口（複数の吹出口であり第２の吹出口、仮に３５ｄとする）に接続され、このフット吹出口から前席の運転席側および助手席側の乗員足元に風を吹き出す。
【００２２】
フロント空調ユニット１１は制御回路（制御手段）３９を備え、制御回路３９は送風器１５を制御して風量を調節する。また制御回路３９は、送風する吹出口を選択して入力する押ボタンなどの操作スイッチ（入力手段）４１によって行われた選択に従い、モータ３７を制御して送風する吹出口を開閉する。尚、操作スイッチ４１の中には、乗員が気体成分の供給の要否を選択する選択スイッチ（要否選択手段）４１ａも備えている。また制御回路３９は、吸込口切替ドア２５によって吸込口を開閉し、図示しない温度センサや図示しない操作スイッチの設定温度の情報に従い、エアミックスドア２９を開閉して温度を調節する。
【００２３】
更に本車両用空調装置１１には、乗員頭部に向けて吹き出す空気にマイナスイオン成分や酸素濃度の高い酸素富化空気などの所定の気体成分を供給する空気成分発生器４３を備えている。具体的に本実施形態では、図２に示すようにフェイスダクト３１ｃの途中に空気成分発生器４３を配設している。尚、この空気成分発生器４３も乗員が操作スイッチ４１を入れることにより制御回路３９によって作動制御される。これにより空気成分発生器４３から供給された前記成分が送風器１５からの風に乗り、フェイス吹出口３１ｄから乗員の鼻口に向けて供給される。
【００２４】
図３は、空気成分発生器４３として使用されるイオン発生器兼空気浄化器となるプラズマ発生器４３Ａの概略構成を表す斜視図であり、図４は、図３のプラズマ発生器４３Ａの作用を表す模式図である。ここで、セラミック基板５１などの表裏に導体を印刷されて作られている電極は、筐体５３に内蔵された例えばパルス発生回路などを有する電子回路５５によって数ｋＶの高電圧交流電界を印加され、陰電極から沿面放電を発生させることによってマイナスイオンを発生すると共に、その放電エネルギーで励起したプラズマによってガス状汚染物質を分解して除菌・脱臭が行われるものである。
【００２５】
そして、浄化された空気にマイナスイオンが乗ってフェイス吹出口３１ｄから吹き出され、乗員の鼻口に届くようになっている。尚、上に例示した電子放射式マイナスイオン発生器の他にもクラスタイオン発生器など各種のイオン発生器の使用が考え得る。また、空気成分発生器４３は、複数の水分子が水素イオンを包むプラスイオンと、複数の水分子が酸素イオンを取り包むマイナスイオンからなる、いわゆる除菌イオン、プラズマクラスターイオン（商標）を含む気体成分を供給することとしても良い。また、空気清浄方法も上に例示したものに限るものではない。
【００２６】
次に図５は、図２の車両用空調装置１１における本発明に係る動作を説明するフローチャートである。尚、本実施例は気体成分としてマイナスイオンを供給する例で説明する。まず、ステップＳ１ではイオン供給要の選択スイッチ４１ａがＯＮになっているか否かを判定する。その判定結果がＹＥＳでイオン供給要の選択スイッチ４１ａがＯＮになっている場合には、ステップＳ２に進んで吹出口を少なくともフェイス吹出口３１ｄから空気が吹き出されるよう各開閉ドア３１ｂ・３３ｂ・３５ｂを操作する。そしてステップＳ３に進んでイオン発生器４３Ａを運転してマイナスイオンを発生させる。
【００２７】
また、ステップＳ１での判定結果がＮＯでイオン供給要の選択スイッチ４１ａがＯＦＦになっている場合には、ステップＳ４に進んで吹出口を通常制御で選択される吹出口から空気が吹き出されるよう各開閉ドア３１ｂ・３３ｂ・３５ｂを操作する。そしてステップＳ５に進んでイオン発生器４３Ａを停止させてマイナスイオンを停止させるものである。
【００２８】
次に、本実施形態での特徴を説明する。まず、制御回路３９は、車室内に空気を吹き出すときに選択スイッチ４１ａにて気体成分の供給要が選択されている場合、イオン発生器４３Ａなどの気体成分供給手段４３を運転すると共に、少なくともフェイス吹出口３１ｄから空気が吹き出されるよう各開閉ドア３１ｂ・３３ｂ・３５ｂを操作するようにしている。これは、例えば暖房状態からの移行であれば、フェイス吹出口３１ｄとフット吹出口３５ｄの両方から空気を吹き出すバイレベルモードの状態であっても良い。
【００２９】
これによれば、乗員が吸引することにより効果を発する所定の気体成分として例えばマイナスイオンは、一般に人体に対して肺から入って吸収され、血液の活性酸素を減らす効果が有ると言われている。そのため、乗員が吸い込み易い空間に放出する必要がある。よって本発明では、乗員が選択スイッチ４１ａにて気体成分の供給要と選択している場合は、イオン発生器４３Ａなどの気体成分供給手段４３を運転すると共に、フェイス吹出口３１ｄから空気が吹き出されるようにすることでマイナスイオンなどが乗員の鼻口に届き易くなり、乗員はマイナスイオンを有効に吸引して効果を得易くなる。
【００３０】
また、第１の吹出口３１ｄがフェイス吹出口３１ｄであるとしている。これによれば、車両用空調装置の送風モードの選択に関わらず、常にフェイス吹出口３１ｄのような気体成分が乗員の鼻口に届き易い第１の吹出口からも送風される。これによりフット吹出口３５ｄのように乗員の鼻口に届き難い第２の吹出口から送風するように車両用空調装置の送風モードが選択されている場合でも、気体成分を乗員の鼻口に届けることが可能となる。
【００３１】
また、気体成分をフェイスダクト３１ｃ内に供給している。これによれば、フェイスダクト３１ｃ内に供給した気体成分は、確実にフェイス吹出口３１ｄから吹き出されるため、より確実に乗員の鼻口に届けることができる。
【００３２】
また、気体成分供給手段４３がイオン発生器４３Ａであるとしている。これによれば、一般的に空気中のマイナスイオンを増加させると、そのマイナスイオンが肺から入って人体に吸収され、血液の活性酸素を減らし、自律神経に影響して情緒を安定させることができる。
【００３３】
また、気体成分供給手段４３が空気清浄器４３Ａであるとしている。これによれば、車両の車室内で発生したり外気から流入したりする各種臭気や排気ガスなど、空気中に含まれるガス状汚染物質を浄化した空気を乗員に吹き出すことにより乗員にかかるストレスを軽減して快適にすることができる。
【００３４】
（第２実施形態）
図６の（ａ）は本発明の第２実施形態における本発明関連機器の車両への概略配置と乗員に対する吹出風とを説明する図であり、（ｂ）は（ａ）中Ａ部（リア空調ユニット１０１）の概略構成図であり、（ｃ）は（ａ）中Ｂ部（天井吹出部）の概略構造図である。リア空調ユニット１０１は、車室内の後席側を空調するように車室の後部、例えば、トランクルーム内などに配置される。このリア空調ユニット１０１のケース８１内には、車室内空気を吸入して送風する送風機８２が備えられ、この送風機８２の下流側にエバポレータ８３が配置されている。
【００３５】
エバポレータ８３の空気流れ下流側には、車両エンジンからの温水により空調空気を加熱するヒータコア８４が配置されている。このヒータコア８４の側方にはバイパス路８５が形成されている。そして、ヒータコア８４に隣接し板状の冷風バイパスドア８６が回動可能に配置され、この冷風バイパスドア８６によりバイパス路８５をリア空調ユニット１０１の吹出しモードと風量レベルに応じて開閉するようになっている。
【００３６】
そして、リア空調ユニット１０１において、エバポレータ８３の下流直後の部位にフェイス開口部８７および吹出モードドア８８が配置され、エバポレータ８３で冷却された冷風は、フェイス開口部８７から後席フェイスダクト８９と前席フェイスダクト９０とを通って、ルーフ板Ｒと内装天板Ｎとの間に設けられた後席天井吹出口８９ａと前席天井吹出口９０ａとから後席側乗員と前席側乗員との鼻口に向けて吹き出される。また、ヒータコア２９で加熱された温風は、後席側フットダクト９１を通って後席側フット吹出口９１ａから後席側乗員の足元部に向けて吹き出される。
【００３７】
本リア空調ユニット１０１にも気体成分供給手段４３が一体化されており、気体成分供給手段４３からの気体成分は後席フェイスダクト８９と前席フェイスダクト９０とに供給されるようになっている。また、本実施形態の車両は、座席毎に着座の圧力で乗員の有無を検出する着座センサ（乗員検出手段）９２をシートに内蔵している。尚、この乗員検知手段は着座センサに限るものではなく、シートベルトアラームなどに用いるのシートベルトロックのメカスイッチでも良いし、ＴＶカメラ・赤外線カメラ・赤外線センサなどによって画像的に乗員を検知するものであっても良い。
【００３８】
そして、先の気体成分供給手段４３は、フェイスダクト８９・９０のいずれに連通するかを選択する連通切替弁（供給先選択手段）９３を有しており、制御回路３９は先の着座センサ９２などで乗員が検知される座席に対して気体成分を供給するように連通切替弁９３を制御するようになっている。
【００３９】
空気成分発生器４３として本実施形態では、図７・図８に示すような酸素富化空気生成装置を用いている。図７は、酸素富化空気生成装置４３Ｂの概略構成を表す模式図である。ゼオライト等の吸着剤を収納した吸着タンク６１と、車室外の空気を圧縮して吸着タンク６１へ送るコンプレッサー６２と、吸着タンク６１を経由することにより含有する窒素濃度が低下して、その結果含有酸素濃度が高くなった酸素富化空気を、フェイスダクト８９・９０へと導く供給管６３と、供給管６３を開閉する電磁弁６４と、コンプレッサー６２からの圧縮空気を吸着タンク６１へ導く連通管６５と、連通管６５を開閉する電磁弁６６からなる。
【００４０】
コンプレッサー６２は、制御回路３９からの制御信号によって送風を開始し、電磁弁６４・６６は、制御回路３９からの制御信号によって供給管６３と連通管６５とを開放する。これにより、吸着タンク６１内に圧縮空気が送られて、吸着剤によって窒素濃度が低下し、含有酸素濃度が高くなった酸素富化空気が、所定の空気成分としてフェイスダクト８９・９０に供給される。
【００４１】
また、図７では、ゼオライト等の吸着剤を収納した吸着タンク６１を使用する形式の酸素富化空気生成装置４３Ｂを例示して説明したが、図８に示すような酸素富化膜モジュール７１を用いた酸素富化空気生成装置４３Ｃを使用しても良い。図８は、酸素富化空気生成装置４３Ｃの概略構成を表す斜視図であり、７１がその酸素富化膜モジュール、７２はその酸素富化膜モジュール７１に車室外空気を供給して窒素濃度の高くなった空気を排出するための換気ファン、７３は酸素濃度が高い酸素富化空気を吸引してフェイスダクト８９・９０へと導く真空ポンプである。
【００４２】
次に、図９は、図６のリア空調ユニット１０１における本発明に係る動作を説明するフローチャートである。尚、本実施例は気体成分として酸素富化空気を供給する例で説明する。まずステップＳ１１では、運転席と後席との乗員の有無を着座センサ９２にて検出する。またステップＳ１２では、酸素供給要の選択スイッチ４１ａがＯＮになっているか否かを判定する。その判定結果がＮＯでイオン供給要の選択スイッチ４１ａがＯＦＦになっている場合には、ステップＳ１３に進んで酸素富化空気生成装置を停止させて酸素富化空気を停止させる。
【００４３】
しかし、ステップＳ１２での判定結果がＹＥＳで酸素供給要の選択スイッチ４１ａがＯＮになっている場合には、ステップＳ１４に進み、酸素供給の運転条件として前席が優先となっているか否かを判定する。その判定結果がＮＯで前席優先条件となっていない場合にはステップＳ１５に進み、後席に乗員が居るか否かを判定する。ステップＳ１４での判定結果がＹＥＳで前席優先条件となっている場合、もしくはステップＳ１５での判定結果がＮＯで後席に乗員が居ない場合には、ステップＳ１６に進み、酸素富化空気生成装置からの酸素を前席の乗員に供給するように連通切替弁９３を制御する。
【００４４】
また、ステップＳ１５での判定結果がＹＥＳで後席に乗員が居る場合（停車中の時間待ちなどで前席乗員が不在で後席乗員が乗っている場合など）には、ステップＳ１７に進み、酸素富化空気生成装置からの酸素を後席の乗員に供給するように連通切替弁９３を制御する。そして、ステップＳ１８に進んで酸素富化空気生成装置を運転して酸素富化空気発生させるものである。
【００４５】
次に、本実施形態での特徴を説明する。まず、気体成分供給手段４３が酸素富化空気生成装置４３Ｂ・４３Ｃであるとしている。これによれば、空気中の酸素濃度が低下して眠気を催したり動作が緩慢になったりするという不具合を、この酸素富化空気生成装置４３Ｂ・４３Ｃで酸素富化空気を供給することにより解消することができる。
【００４６】
また、車両の座席毎の乗員に対応した複数のフェイス吹出口８９ａ・９０ａと、座席毎の乗員の有無を検出する着座センサ９２と、酸素富化空気生成装置４３Ｂ・４３Ｃなどの気体成分供給手段４３と複数のフェイス吹出口８９ａ・９０ａとの連通を選択する連通切替弁９３とを設け、制御回路３９は、着座センサ９２にて乗員が検出される座席の乗員に対応したフェイス吹出口８９ａ・９０ａと酸素富化空気生成装置４３Ｂ・４３Ｃなどの気体成分供給手段４３とが連通するよう連通切替弁９３を制御するようにしている。これによれば、座席についている乗員に対して有効に気体成分を供給することができる。
【図面の簡単な説明】
【００４７】
【図１】本発明の第１実施形態における本発明関連機器の車両への概略配置と、乗員に対する吹出風とを説明する図である。
【図２】本発明の第１実施形態における車両用空調装置１１の概略構成図である。
【図３】本発明に係るイオン発生器兼空気浄化器となるプラズマ発生器４３Ａの概略構成を表す斜視図である。
【図４】図３のプラズマ発生器４３Ａの作用を表す模式図である。
【図５】図２の車両用空調装置１１における本発明に係る動作を説明するフローチャートである。
【図６】（ａ）は本発明の第２実施形態における本発明関連機器の車両への概略配置と乗員に対する吹出風とを説明する図であり、（ｂ）は（ａ）中Ａ部（リア空調ユニット１０１）の概略構成図であり、（ｃ）は（ａ）中Ｂ部（天井吹出部）の概略構造図である。
【図７】本発明に係る酸素富化空気生成装置４３Ｂの概略構成を表す模式図である。
【図８】本発明に係る酸素富化空気生成装置４３Ｃの概略構成を表す斜視図である。
【図９】図６のリア空調ユニット１０１における本発明に係る動作を説明するフローチャートである。
【符号の説明】
【００４８】
３１ｂ…フェイスドア（開閉手段）
３１ｃ…フェイスダクト
３１ｄ…フェイス吹出口（複数の吹出口、第１の吹出口）
３３ｂ…テフロスタドア（開閉手段）
３３ｄ…テフ□スタ吹出口（複数の吹出口、第２の吹出口）
３５ｂ…フットドア（開閉手段）
３５ｄ…フット吹出口（複数の吹出口、第２の吹出口）
３９…制御回路（制御手段）
４１ａ…選択スイッチ（要否選択手段）
４３…気体成分供給手段
４３Ａ…イオン発生器、空気清浄器（イオン発生手段、清浄空気生成手段）
４３Ｂ・４３Ｃ…酸素富化空気生成装置（酸素富化空気生成手段）
８９ａ…後席天井吹出口（複数の吹出口）
９０ａ…前席天井吹出口（複数の吹出口）
９２…着座センサ（乗員検出手段）
９３…連通切替弁（供給先選択手段）
【図１】
2005170325.tif 000003
【図２】
2005170325.tif 000004
【図３】
2005170325.tif 000005
【図４】
2005170325.tif 000006
【図５】
2005170325.tif 000007
【図６】
2005170325.tif 000008
【図７】
2005170325.tif 000009
【図８】
2005170325.tif 000010
【図９】
2005170325.tif 000011